(57)【要約】ポリアミドまたはポリエステルまたはこれらの素材のいずれかと綿との混紡からなる第１糸（１０）で構成される織物生地は、第２糸（１２）が前記生地の少なくとも一部分に含まれ、前記第２糸がポリエーテルをベースとしていて前記第１糸に熱接着する、という特徴を有する。
2007515559.tif 000002
【特許請求の範囲】
【請求項１】
ポリアミドまたはポリエステルまたはこれらの材料と綿との混紡からなる第１糸（１０）を含む織物生地であって、前記織物生地の少なくとも一部には第２糸（１２）が含まれ、前記第２糸（１２）はポリエーテルをベースとしており前記第１糸（１０）に熱接着されることを特徴とする織物生地。
【請求項２】
前記織物生地の少なくとも一部には弾性糸（１４）が挿入されていることを特徴とする請求項１に記載の織物生地。
【請求項３】
前記弾性糸（１４）を含む部分と熱接着糸（１２）を含む部分とが一部重なっていることを特徴とする請求項２に記載の織物生地。
【請求項４】
前記弾性糸（１４）を含む部分と前記熱接着糸（１２）を含む部分とが互いに異なることを特徴とする請求項２に記載の織物生地。
【請求項５】
ａ）前記第１糸を織りまたは編みまたは縦編みをし、
ｂ）前記第１糸を織るまたは編む最中またはその後に、織物生地の少なくとも一部分に前記第２糸を挿入し、
ｃ）任意選択で、前記織物の同じ部分または別の部分に前記弾性糸を挿入し、
ｄ）前記第１糸に前記第２糸を熱融着する、
ステップを含むことを特徴とする請求項１〜４のいずれかに記載の織物生地の製造方法。
【請求項６】
熱融着の最中の温度が約１１０℃〜１９０℃の間であることを特徴とする請求項５に記載の方法。
【請求項７】
衣料であって、前記熱接着糸を含む織物生地の少なくとも一部分が衣料の製造中に裁断領域内にあることを特徴とする、請求項１〜４のいずれかに記載の織物生地を含む衣料。
【請求項８】
前記衣料がブラジャーであり、前記第２糸を含む部分が乳房用カップの下方に張り出していることを特徴とする請求項７に記載の衣料。
【請求項９】
前記衣料がパンティ、ボディスーツまたは水着であり、前記第２糸を含む部分が脚の縁取り部分に張り出していることを特徴とする請求項７に記載の衣料。
【発明の詳細な説明】
【技術分野】
【０００１】
本発明は、ポリアミドまたはポリエステルまたはこれらの素材のいずれかと綿との混紡からなる第１糸を含む織物生地に関する。本発明はさらに、前記織物生地の製造方法および前記織物生地を含む衣料に関する。とりわけ本発明は、衣料およびコルセットに適用できる。
【背景技術】
【０００２】
通例では、ガードル、パンティ、ボディスーツ、水着、ブラジャーなどの衣料およびコルセットは、例えば、ナイロン糸やポリエステル糸などの合成繊維糸、レーヨン糸、アセテート糸またはキュプラレーヨン糸などの再生繊維糸、綿糸、絹糸、亜麻糸、または紡毛糸などの天然繊維糸を編んだり、縦編みにしたり、または織った織物生地を用意して製造される。当技術分野では、織物生地の所望する特徴を得るために、糸の太さを変えることや異種の糸を使用することが知られており、この結果、衣料の異なる部分で異なる特性が得られている。衣料が編み目構造によって縦方向または横方向に弾力的に伸縮可能になっているとしてもなお、目的とする衣料について織物生地の特性を最適化するために、弾性糸を挿入する選択の余地がある。弾性糸の基本素材として、通常ポリウレタンが使用される。
【０００３】
次いで、織物生地は所望する衣料の輪郭に沿って裁断されるが、この裁断は、裁断機（押切り型、打抜き型）で行うか、衣料の縁仕上げを形成するために、裁断の端部に沿って装飾的および／または弾性のある縁取り部を同時に縫い付ける縫製機で行うのが好ましい。
【０００４】
衣料の輪郭は、織物生地の上に、衣料のより長い端部が織物生地の端部と一致するように配置される。このことは、例えば、乳房用カップの下にあるブラジャー端部やパンティの脚部の縁取り部分に関係する。
【０００５】
時には、衣料の着用者の心地よさや改良した外観のために、曲がった縁を提供することが要望されるであろう。しかし、縁は、もしそれを裁断すればほつれてしまうような生地の織端で形成されているので、これらの曲線部分を単純に裁断することはできない。
【０００６】
この点については、例えば接着によってであるが、ほつれなく裁断できる複合物を形成するように、織物を他の層に重ねたブラジャーが知られている。しかし、視覚的外観や着用者の心地よさは低下する。
【発明の開示】
【発明が解決しようとする課題】
【０００７】
本発明の目的は、生地の端部であっても裁断部分がほつれる恐れのない曲線裁断が可能となる織物生地を提供することである。
【課題を解決するための手段】
【０００８】
この目的は、請求項１に定義された織物生地で解決される。
本発明によれば織物生地の少なくとも一部分に第２糸が含まれ、前記第２糸はポリエーテルをベースとしていて第１糸に熱接着される。この追加する糸は、柔らかくて締め付ける力、十分な耐アルカリ性、良好なセッティング能力および優れた結合能力など、衣料に適する優れた特徴をもつ、溶融紡糸スパンデックスであってもよい。第２糸を第１糸に熱融着することにより、もつれ、カールおよびスリップ−インを回避することが可能である。
【０００９】
また、前記織物生地の少なくとも一部分に弾性糸を挿入することも可能であり、弾性糸を含む部分と、前記の熱接着糸を含む部分とが互いに異なってもよく、部分的に重なってもよい。
【００１０】
上述した織物生地の製造方法は、以下のステップを含む。
ａ）第１糸を織ったり編んだりし、
ｂ）前記第１糸を織ったり編んだりする最中に、またはその後で、織物生地の少なくとも一部分に第２糸を挿入し、
ｃ）任意選択で、前記織物の同じ部分または別の部分に弾性糸を挿入し、
ｄ）前記第２糸を前記第１糸に熱融着する。
【００１１】
この方法では広範囲のプロセス温度が可能であるが、熱融着の最中の温度は、約１１０℃〜１９０℃の間が好ましい。適切な融着温度は、糸の細さ、糸の素材に依存するであろう。高すぎる温度による糸の切断は、避けなければならない。
【００１２】
前に定義した織物生地を含む衣料は、熱接着糸を含む織物生地の少なくとも一部分が、前記衣料の製造中に裁断される領域内にあることを特徴とする。
【００１３】
前記衣料がブラジャーであってもよく、前記熱接着糸を含む部分が、乳房用カップの下方に張り出している部分であってもよい。
【００１４】
前記衣料が、パンティ、ボディスーツまたは水着であってもよく、前記熱接着糸を含む部分が、脚の縁取り部分であってもよい。
【発明を実施するための最良の形態】
【００１５】
本発明の、上記目的およびそのほかの目的、特徴および優れた点は、以下に示す添付図面を参照して、以下の記述から一層明らかになるであろう。
図１は、熱接着糸が基布の編み目に挿入されている状態を説明するための編み目の概略図であり、
図２は、織物の一部が裁断された場合に、糸が別の糸に熱接着している状態を示す概略図であり、
図３は、弾性糸を追加して含む、図１に類似する図であり、
図４は、弾性糸を含む、図２に類似する図であり、
図５は、ブラジャーを製造するための織物生地の一部分の概略図であり、
図６は、パンティガードルやパンティを製造するための織物生地の一部分の概略図である。
【実施例１】
【００１６】
図１では、符号１０は、基布の編み目に編み込まれた非弾性糸のループを示す。非弾性糸は、ポリアミド糸またはポリエステル糸とすることができる。第２糸１２が、それぞれ単一のループを通っていて、前記非弾性糸１０に熱接着された後ではループの形態が安定化される。
【００１７】
図２は、織物の一部が裁断されているが、非弾性糸１０と熱接着性糸１２の熱接着点によって、基布の編み目構造が固定化されている状態を示す。
【００１８】
図３は、織物に強度と弾性を付与するために弾性糸１４が追加挿入された、図１に類似する図である。
【００１９】
図４は、図２に類似しているが、織物の一部が裁断されたときに、非弾性糸１０と熱接着性糸１２の接着点によって織物が依然固定化されていることを示す。
【００２０】
非弾性糸１０の材料としてポリエステルまたはポリアミドが選択されると、熱接着性糸１２は、ポリエーテルをベースとした糸でなければならないことが判明した。
【００２１】
図５は、本発明の織物生地を使用して、如何にブラジャーが製造されうるかを示している。乳房用カップ２０は、非弾性糸または非弾性糸と弾性糸を含む基布の編み目で編まれていて、乳房用カップの下の補強部分２２は、さらにポリウレタン糸などの弾性糸を含み、第３区分２４は、図３に類似する編み目、すなわち非弾性糸、弾性糸および熱接着性糸を含む。熱融着の後は、端部がほつれる恐れもなく、曲線端部を実現するためにライン２６に沿って裁断することが可能となる。
【００２２】
図６は、本発明の織物生地を使用して、パンティガードルやパンティが如何に製造されうるかを示している。主要部分３０は、非弾性糸、または非弾性糸と弾性糸、任意選択で綿糸とのブレンド糸で構成される基布の編み目で編まれている。主要部分３０には、裁断線３４によって脚の切り抜きを規定する縁取り部分３２がある。区画３６は、斜線で示されているが、当初はその縁取り部分３２と一体である。それらは図１に似た編み目、すなわち、非弾性糸と熱接着性糸を含む編み目、もしくは図３に似た、非弾性糸、弾性糸および熱接着性糸を含む編み目で構成される。熱融着後にライン３４に沿って裁断されて、区画３６は廃棄される。
【００２３】
前述の説明、特許請求の範囲および／または添付図面において開示された特徴は、別々にでも、それらを任意に組み合わせてでも、共に、本発明をさまざまな形態で実施するために重要であろう。
【図面の簡単な説明】
【００２４】
【図１】図１は、熱接着糸が基布の編み目に挿入されている状態を説明するための編み目の略図である。
【図２】図２は、織物の一部が裁断された場合に、糸が別の糸に熱接着している状態を示す略図である。
【図３】図３は、弾性糸を追加して含む、図１に類似する図である。
【図４】図４は、弾性糸を含む、図２に類似する図である。
【図５】図５は、ブラジャーを製造するための織物生地の一部分の略図である。
【図６】図６は、パンティガードルやパンティを製造するための織物生地の一部分の略図である。
【図１】
2007515559.tif 000003
【図２】
2007515559.tif 000004
【図３】
2007515559.tif 000005
【図４】
2007515559.tif 000006
【図５】
2007515559.tif 000007
【図６】
2007515559.tif 000008
【国際調査報告】
2007515559.tif 000009
2007515559.tif 000010
2007515559.tif 000011